【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
再構成された信号を生成する方法であって、
オーディオ信号から算出したベースバンド信号を表すデータと、スペクトル包絡線の推定値とを含む信号を受信するステップと、
前記ベースバンド信号の周波数領域における表現であって、該周波数領域における表現はベースバンドスペクトル成分からなる表現であることを特徴とする表現を前記データから取得するステップと、
それぞれのサブバンドの変換を完成させるために、最低周波数ベースバンドスペクトル成分を、それぞれのサブバンドの低周波端に対応させ、該ベースバンドスペクトル成分を一通り順繰りに複製するような方法で、個々のサブバンド中に複製することにより、再生成されたスペクトル成分からなる再生成された信号を取得するステップと、
前記ベースバンドスペクトル成分と、前記再生成されたスペクトル成分と、前記スペクトル包絡線の推定値との結合に対応する、再構成された信号の時間領域における表現を取得するステップと、
を具備することを特徴とする再構成された信号を生成する方法。
【請求項２】
前記再構成された信号の時間領域における表現は、再構成された、長さが変化する信号部分を表現するために取得することを特徴とする請求項１に記載の方法。
【請求項３】
前記再構成された信号の時間領域における表現を取得するために、時間領域エイリアシングを削除する合成変換を適用するステップを具備することを特徴とする請求項１に記載の方法。
【請求項４】
複製するスペクトル成分を変更することにより、又は、複製するスペクトル成分の周波数の量を変更することにより、前記スペクトル成分を複製するステップを改変することを特徴とする請求項１に記載の方法。
【請求項５】
前記受信した信号中に含まれるデータはまた、前記オーディオ信号に含まれるノイズ量の程度から算出したノイズ混入パラメータを表し、そして、前記方法は前記スペクトル包絡線の推定値と該ノイズ混入パラメータとに従い、再生成したスペクトル成分の振幅を調整するステップを具備することを特徴とする請求項１に記載の方法。
【請求項６】
再構成された信号を生成する装置であって、
オーディオ信号から算出したベースバンド信号を表すデータと、スペクトル包絡線の推定値とを含む信号を受信する手段と、
前記ベースバンド信号の周波数領域における表現であって、該周波数領域における表現はベースバンドスペクトル成分からなる表現であることを特徴とする表現を前記データから取得する手段と、
それぞれのサブバンドの変換を完成させるために、最低周波数ベースバンドスペクトル成分を、それぞれのサブバンドの低周波端に対応させ、該ベースバンドスペクトル成分を一通り順繰りに複製するような方法で、個々のサブバンド中に複製することにより、再生成されたスペクトル成分からなる再生成された信号を取得する手段と、
前記ベースバンドスペクトル成分と、前記再生成されたスペクトル成分と、前記スペクトル包絡線の推定値との結合に対応する、再構成された信号の時間領域における表現を取得する手段と、
を具備することを特徴とする再構成された信号を生成する装置。
【請求項７】
前記再構成された信号の時間領域における表現は、再構成された、長さが変化する信号部分を表現するために取得することを特徴とする請求項６に記載の装置。
【請求項８】
前記再構成された信号の時間領域における表現を取得するために、時間領域エイリアシングを削除する合成変換を適用する手段を具備することを特徴とする請求項６に記載の装置。
【請求項９】
複製するスペクトル成分を変更することにより、又は、複製するスペクトル成分の周波数の量を変更することにより、前記スペクトル成分を複製する方法を改変する手段を具備することを特徴とする請求項６に記載の方法。
【請求項１０】
前記受信した信号中に含まれるデータはまた、前記オーディオ信号に含まれるノイズ量の程度から算出したノイズ混入パラメータを表し、そして、前記装置は前記スペクトル包絡線の推定値と該ノイズ混入パラメータとに従い、再生成したスペクトル成分の振幅を調整する手段を具備することを特徴とする請求項６に記載の方法。
【請求項１１】
再構成された信号を生成する方法を行う装置によって読み込み可能であり、該装置により実行可能な命令のプログラムを記憶する記憶媒体であって、該方法は、
オーディオ信号から算出したベースバンド信号を表すデータと、スペクトル包絡線の推定値とを含む信号を受信するステップと、
前記ベースバンド信号の周波数領域における表現であって、該周波数領域における表現はベースバンドスペクトル成分からなる表現であることを特徴とする表現を前記データから取得するステップと、
それぞれのサブバンドの変換を完成させるために、最低周波数ベースバンドスペクトル成分を、それぞれのサブバンドの低周波端に対応させ、該ベースバンドスペクトル成分を一通り順繰りに複製するような方法で、個々のサブバンド中に複製することにより、再生成されたスペクトル成分からなる再生成された信号を取得するステップと、
前記ベースバンドスペクトル成分と、前記再生成されたスペクトル成分と、前記スペクトル包絡線の推定値との結合に対応する、再構成された信号の時間領域における表現を取得するステップと、
を具備する方法であることを特徴とする、記憶媒体。
【請求項１２】
前記再構成された信号の時間領域における表現は、再構成された、長さが変化する信号部分を表現するために取得することを特徴とする請求項１１に記載の記憶媒体。
【請求項１３】
前記方法は、前記再構成された信号の時間領域における表現を取得するために、時間領域エイリアシングを削除する合成変換を適用するステップを具備することを特徴とする請求項１１に記載の記憶媒体。
【請求項１４】
前記方法は、複製するスペクトル成分を変更することにより、又は、複製するスペクトル成分の周波数の量を変更することにより、前記スペクトル成分を複製するステップを改変することを特徴とする請求項１１に記載の記憶媒体。
【請求項１５】
前記受信した信号中に含まれるデータはまた、前記オーディオ信号に含まれるノイズ量の程度から算出したノイズ混入パラメータを表し、そして、前記方法は前記スペクトル包絡線の推定値と該ノイズ混入パラメータとに従い、再生成したスペクトル成分の振幅を調整するステップを具備することを特徴とする請求項１１に記載の記憶媒体。
【手続補正２】
【補正対象書類名】明細書
【補正対象項目名】００３９
【補正方法】変更
【補正の内容】
【００３９】
再生成される全てのスペクトル成分の帯域幅が複製されるベースバンドスペクトル成分の帯域幅より広い場合は、最低周波の周波数成分から最高周波の周波数成分まで順繰りにベースバンドスペクトル成分を複製してもよく、もし必要なら、最低周波の周波数成分を包み込んで含んでも良い。例えば、上記表Ｉに示したサブバンド構成について、約１ｋＨｚから５．５ｋＨｚまでのベースバンドスペクトル成分のみが複製されさえすれば、そしてスペクトル成分が約５．５ｋＨｚから１６．５ｋＨｚまでの周波数スパンであるサブバンド１と２に対して再生成されさえすれば、約１ｋＨｚから５．５ｋＨｚまでのベースバンドスペクトル成分が、それぞれ約５．５ｋＨｚから１０ｋＨｚまでの周波数に複製され、約１ｋＨｚから５．５ｋＨｚまでの同じベースバンドスペクトル成分が、再度、それぞれ約１０ｋＨｚから１４．５ｋＨｚまでの周波数に複製され、約１ｋＨｚから３ｋＨｚまでのベースバンドスペクトル成分が、それぞれ約１４．５ｋＨｚから１６．５ｋＨｚまでの周波数に複製される。
【手続補正３】
【補正対象書類名】明細書
【補正対象項目名】００４０
【補正方法】変更
【補正の内容】
【００４０】
あるいは、ベースバンドの最低周波成分をそれぞれのサブバンドの低周波端に複製し、さらにこのサブバンドの変換を完成するのに必要なだけベースバンドスペクトル成分を順繰りに複製することで、この複製処理を個々の再生成された成分のサブバンドごとに行うことができる。